(57)【要約】【課題】調理器から発生した油滴、蒸発油分等を効率よく除去して周囲への拡散を抑制しうる換気扇の提供。【解決手段】上記換気扇２は、上方に位置する吸気部４と、下方に位置する噴気部６と、上記吸気部４を覆うフィルター１０と、この吸気部４と上記噴気部６とを連通するダクト１２と、この吸気部４から上記噴気部６に、上記ダクト１２を通して送気するファン１４とを備えており、上記噴気部６が、調理器載置スペース２０を取り囲むように構成されており、この噴気部６に、外方に向けて空気が噴出しうる噴気孔２２が形成されている。【選択図】図１
2017036888.tif 000002
【特許請求の範囲】
【請求項１】
上方に位置する吸気部と、
下方に位置する噴気部と、
上記吸気部を覆うフィルターと、
この吸気部と上記噴気部とを連通するダクトと、
この吸気部から上記噴気部に、上記ダクトを通して送気するファンとを備えており、
上記噴気部が、調理器載置スペースを取り囲むように構成されており、
この噴気部に、外方に向けて空気が噴出しうる噴気孔が形成されている換気扇。
【請求項２】
上記噴気部が、連結及び分離が可能な複数の管部材から構成されており、
この噴気部が、上記管部材の増加、減少及び交換のうちの少なくともいずれかにより、上記調理器載置スペースの形状及び大きさを変更しうるように構成されている請求項１に記載の換気扇。
【請求項３】
上記噴気部が、連結及び分離が可能な複数の管部材から構成されており、
この噴気部が、管部材を、その中心軸回りの角度位置を変更して連結することにより、上記噴気孔の向きを変更設定しうるように構成されている請求項１又は２に記載の換気扇。
【請求項４】
上記噴気部が、この換気扇が載置される際の、載置面に当接する台座部を構成している請求項１から３のいずれかに記載の換気扇。
【発明の詳細な説明】
【技術分野】
【０００１】
本発明は換気扇に関する。詳細には、本発明は、卓上使用に好適な換気扇に関する。
【背景技術】
【０００２】
一般家庭において、フライパン等の鉄板上で調理される焼き肉、炒め物は人気がある。これらの料理は、通常は、レンジフードが備わった調理場で行われる。しかし、食卓で、調理器を囲んで食事をしながら調理する際には、問題が生じる。すなわち、調理器で発生した油滴や蒸発油分が四散し、テーブル、その他の家具、天井、床、室内壁等を汚してしまう。
【０００３】
従来、上記したような問題を解決するために、卓上で使用するための換気扇が提案されている。実開昭６１−６９７４４号公報に開示されている卓上換気扇は、いわばスタンド型の換気扇である。しかし、この換気扇は、排気用ダクトを備え、室外への排気を必要としたものである。排気用ダクトの先端は、窓かガラス戸を薄開きにする等して、そこから屋外に出す必要がある。やっかいな作業である。しかも、調理器で発生した油滴、蒸発油分等を効果的に捕集しうるか疑問である。
【０００４】
実用新案登録第３１９０４１１号公報に開示されている換気扇も、卓上スタンド型の換気扇である。この換気扇では、スタンドの指示ロッドの上端に抽気機（ファン）が設置されている。この抽気機により、調理器からの空気を濾過シートを通して吸引し、後方に排出する。この換気扇では、濾過後の空気を室内に放出する。しかし、この換気扇も、調理器で発生した油滴、蒸発油分等を効果的に捕集しうるか疑問である。調理器から濾過シートにまで至ることができず、四散してしまう空気が存在するおそれがある。
【先行技術文献】
【特許文献】
【０００５】
【特許文献１】実開昭６１−６９７４４号公報
【特許文献２】実用新案登録第３１９０４１１号公報
【発明の概要】
【発明が解決しようとする課題】
【０００６】
本発明の目的は、調理器から発生した特に油滴や蒸発油分を効率よく除去して周囲への拡散を抑制しうる換気扇を提供することにある。
【課題を解決するための手段】
【０００７】
本発明に係る換気扇は、
上方に位置する吸気部と、
下方に位置する噴気部と、
上記吸気部を覆うフィルターと、
この吸気部と上記噴気部とを連通するダクトと、
この吸気部から上記噴気部に、上記ダクトを通して送気するファンとを備えており、
上記噴気部が、調理器載置スペースを取り囲むように構成されており、
この噴気部に、外方に向けて空気が噴出しうる噴気孔が形成されている。
【０００８】
好ましくは、上記噴気部が、連結及び分離が可能な複数の管部材から構成されており、
この噴気部が、上記管部材の増加、減少及び交換のうちの少なくともいずれかにより、上記調理器載置スペースの形状及び大きさを変更しうるように構成されている。
【０００９】
好ましくは、上記噴気部が、連結及び分離が可能な複数の管部材から構成されており、
この噴気部が、管部材を、その中心軸回りの角度位置を変更して連結することにより、上記噴気孔の向きを変更設定しうるように構成されている。
【００１０】
好ましくは、上記噴気部が、この換気扇が載置される際の、載置面に当接する台座部を構成している。
【発明の効果】
【００１１】
本発明に係る換気扇によれば、調理器から発生した油滴、蒸発油分等を効率よく除去して周囲への拡散を抑制することができる。
【図面の簡単な説明】
【００１２】
【図１】図１は、本発明の一実施形態に係る換気扇を示す一部切り欠き斜視図である。
【図２】図２は、図１の換気扇における噴気部の組み立て前の状態を示す斜視図である。
【図３】図３は、本発明の他の実施形態に係る換気扇の一部分を示す側面図である。
【発明を実施するための形態】
【００１３】
以下、適宜図面が参照されつつ、好ましい実施形態に基づいて本発明が詳細に説明される。
【００１４】
図１に示された換気扇２は、卓上Ｔに載置されている。この換気扇２は、上方に位置する吸気部４と、下方に位置する噴気部６と、上記吸気部４を上から覆うフード８と、この吸気部４を下から覆うフィルター１０と、この吸気部４と上記噴気部６とを連通するダクト１２と、吸気部４から上記ダクト１２を通して上記噴気部６に送気するファン１４とを備えている。図１では、吸気部４及びファン１４を示すために、フード８及びフィルター１０の一部が切り欠かれている。吸気部４とは、ファン１４、ダクト１２等から構成される閉じた空気流路の上流端とも言える。
【００１５】
この換気扇２では、上記噴気部６が台座としても機能する。図示しない調理器は、上記噴気部６に囲まれた状態で卓上Ｔに載置される。この換気扇２では、ファン１４の吸引力により、吸気部４から空気が吸い込まれる。このとき、調理器で発生した蒸発油分等の多くの部分は、吸気部４を覆うフィルター１０によって吸着され、吸引される空気から除去される。一方、吸気部４から吸い込まれた空気は、ダクト１２を通して、噴気部６に送られる。この空気は、噴気部６から、概ね上方に向けて外部に噴出される。
【００１６】
本実施形態では、噴気部６は、卓上Ｔ等に直接載置される。噴気部６は、その上方のダクト１２、ファン１４、フィルター１０、フード８等を支持する台座としても機能している。もちろん、本発明では、噴気部６とは別に、台座が設けられてもよい。例えば、調理器が載置されうる大きさの平板が台座として採用可能である。この平板状台座は、上記ファン１４等を安定して支持するために十分な重量を有しているのが好ましい。噴気部６は、この台座の周囲に延在するように形成すればよい。そして、噴気部６と台座とを、それらの上下方向の相対位置関係が調節可能に構成することは容易である。例えば、台座を、後述する連結部２４に対して、ネジによって上下しうるように連結することができる。この場合、連結部２４には上下動案内用の複数個のリングを設け、台座にはこのリングによって案内される複数本の棒を突設しておくのが好ましい。かかる構成により、台座上の調理器に対する噴気部６の高さを調節することができる。
【００１７】
本実施形態では、噴気部６の主たる部分が、金属製、合成樹脂製等の管材から形成されている。この噴気部６は、直管１６がエルボー管１８の内径側に挿入されて連結されることにより、ループ状に形成されている。図示の噴気部６は、概ね矩形の平面視形状に形成されている。上記エルボー管１８は、この矩形の角部に配置されている。この矩形ループ状に配管された噴気部６の内部スペース（調理器載置スペース）２０に、調理器が配置される。上記直線状の管１６の長さ、管１６、１８の個数、エルボー管１８の湾曲角度等を変更することにより、噴気部６の平面視形状の形状、大きさ等を変更することが可能である。噴気部６の形状は、矩形には限定されず、例えば、円形、長円形、楕円形、四角以外の多角形等であってもよい。噴気部は、直管１６とエルボー管１８との組み合わせには限定されない。噴気部は、一本の管材からループ状に形成されたものであってもよい。
【００１８】
図１に示されるように、噴気部６の上面には、空気を外部に噴出させるための噴気孔２２が形成されている。噴気孔２２は、噴気部６の長手方向に沿って多数形成されている。噴気孔２２の形状は、種々選択可能である。本実施形態では、この噴気孔２２は、噴気部６の長手方向に延びるスリット状にされている。以下、この噴気孔２２をスリット２２とも呼ぶ。スリット２２を通過する空気は、エアカーテンＡＣを構成する。
【００１９】
スリット２２から噴出されるエアカーテンＡＣの向きは調節可能である。すなわち、エルボー管１８に対する直管１６の軸回り角度位置を変更することにより、スリット２２の位置は、この直管１６の周方向に変化する。この調整により、必要に応じて、エアカーテンＡＣの噴出の向きを変更することができる。例えば、エアカーテンＡＣの噴出の向きを、鉛直方向上向きから微少角だけ調理器載置スペース２０側（内側）に傾斜した向き等に変更することも可能である。この調整により、調理器の上方の加熱された空気等が、フード８から外方に逃げることをより効率的に防止することができる。
【００２０】
図２に示されるように、直管１６の端部の外周面の一箇所に、位置決め用の突起４２を形成しておくのが好ましい。加えて、エルボー管１８の端部の内周面に、上記突起４２が係合しうる位置決め用の凹所４４を形成する。この位置決め用の凹所４４は、エルボー管１８の内周面の、周方向に所定角度間隔を置いた複数箇所に形成される。この突起４２と凹所４４とにより、スリット２２を、所定の複数位置に、容易且つ正確に位置決めすることができる。以上のような方法でスリット２２の位置変更を行うためには、噴気部６の構成要素として直管１６が不可欠である。また、スリット２２の外側にルーバー（羽板）を取り付けて、スリット２２から噴出した空気流の向きを変更しうるように構成することも可能である。もちろん、以上のような方法に代えて、噴気部の全体を、スリット位置の異なる噴気部に交換しうるように構成することは容易である。
【００２１】
図１に示されるように、この換気扇２には、噴気部６とダクト１２とを連結するための連結部２４が備えられている。この連結部２４は、噴気部６の両端部同士をも連結する。図示の連結部２４は、直方体形状を呈しているが、かかる形状には限定されない。この連結部２４において、噴気部６とダクト１２とが連通されている。連結部２４には、左右の両側面に、対向して連結孔２６が形成されている。噴気部６は、その両端をこの連結孔２６に挿入されることにより、連結部２４に連結される。噴気部６の両端の外周には、Ｏリング等のシール部材が配設されるのが好ましい。かかる構造の場合、噴気部６の連結部２４への着脱が容易となる。噴気部６の両端部を互いに離れる方向に引くと、これら両端部が連結孔２６から抜ける。このように、噴気部６を、直管１６とエルボー管１８とに分解することなく、連結部２４へ着脱することが可能となる。
【００２２】
ダクト１２は、この連結部２４に、上向きに突設されている。このダクト１２は、金属製、合成樹脂製等の管材から形成されてもよい。ダクト１２は、連結部２４に対して、公知の手法によって着脱可能に構成されてもよい。
【００２３】
本実施形態におけるダクト１２は、ファン１４、フード８、フィルター１０等を支持する支柱としても機能している。もちろん、本発明では、かかる構成には限定されない。ダクト１２とは別に、図示しない支柱が設けられてもよい。そして、この支柱の下端には、テーブル等の周縁等を挟持して固定されるクリップ部材が設けられてもよい。また、ダクト１２は、連結部２４又は噴気部６の両端に対して、公知の手法によって折りたたみ（回動）可能に構成されてもよい。例えば、以下の通りである。
【００２４】
図３に示されるように、連結部３８を、噴気部６の両端を軸にして、その回りに回動可能に構成することは容易である。かかる構造では、連結部３８を噴気部６の両端に対して回転させることにより、ダクト１２を、噴気部６に対して折りたたむことができる。さらに、噴気部６に対するダクト１２の傾斜角を変更することができる。
【００２５】
かかる構造の換気扇とっては、連結部３８が円柱状を呈しているのが好ましい。この連結部３８の形状は、例えば、対向する噴気部６の両端の中心軸にほぼ一致した中心軸を持つ円柱状が好ましい。この場合、噴気部６における、連結部２４側と反対側の下面には、脚部４０が設けられている。この脚部４０は、ほぼ噴気部６の端部と連結部３８の連結孔２６との半径の差に相当する高さを有する。この脚部４０は、噴気部６の水平姿勢を保つ。図中の２点鎖線で示されるように、ダクト１２は、連結部３８と一体で、噴気部６の両端部に対して回転させることによって傾斜させることができる。また、噴気部６の両端部の外周に、図２に示されると同様の位置決め用の突起（図２では符号４２）を形成し、連結部３８の連結孔２６の内周面に、位置決め用の凹所（図２では符号４４）を形成してもよい。この位置決め用の凹所は、周方向に所定角度間隔を置いた複数箇所に形成される。この突起と凹所とにより、ダクト１２の傾斜角を、複数段階に容易且つ正確に調節することができる。かかる構造では、傾斜角の調節時に、噴気部６の両端部を連結部３８に対して抜き差しする必要がある。
【００２６】
また、ダクト１２は、例えば、長さの異なる管材に取り替えること等により、その長さを調節可能に構成してもよい。ダクト１２は、フード８、フィルター１０、ファン１４等を支持しうる剛性を備えた上で、公知の手法によって湾曲可能に構成されてもよい。
【００２７】
図１に示されるように、ダクト１２の上端にはファン１４が取り付けられている。ダクト１２上端へのファン１４の装着は、着脱可能であってもよい。本実施形態では、シロッコファンが採用されている。本発明では、シロッコファンに限定されることはなく、プロペラファン等が採用されてもよい。このファン（シロッコファンとも呼ぶ）１４は、多数の羽根が円筒状に整列された羽根列（以下、これを羽根という）３２と、この羽根３２を覆うカバー３４と、羽根３２を回転駆動するモータ３６とを備えている。
【００２８】
シロッコファン１４は、羽根３２の軸方向に吸気し、羽根３２の外周方向に吐出する。モータ３６は、羽根３２を挟んで吸い込み口２８の反対側に装着されている。モータ３６の軸は、羽根３２の軸方向に沿っている。シロッコファン１４は、その吸い込み口２８が横を向き、その吐出口３０が下を向いた姿勢で取り付けられている。吸い込み口２８の中心軸の方向は、噴気部６の中心軸とほぼ平行にされている。吐出口３０は、ダクト１２の上端に接続されている。吸い込み口２８は開放されている。図１では、理解容易のために、シロッコファン１４は、何物にも覆われることなく描かれているが、ハウジングによって覆われてもよい。そして、このハウジングにフード８が設置されてもよい。
【００２９】
上記フード８は、このファン１４の上部を含んで、ほぼ噴気部６の平面視形状の範囲に広がっている。噴気部６が矩形ループ状であれば、フード８も噴気部６とほぼ同一の矩形の平面視形状を有するのが好ましい。噴気部６が円形ループ状であれば、フード８も噴気部６とほぼ同一の円形の平面視形状を有するのが好ましい。換言すれば、フード８は、調理器載置スペース２０をカバーしうる面積及び形状を有するのが好ましい。フード８の周縁は下方に若干下がっている。このフード８の周縁又は周縁より僅か上方に、上記フィルター１０が着脱可能に取り付けられる。フード８に取り付けられたフィルター１０により、フード８の開口部が封じられる。ファン１４の吸い込み口２８は、封じられたフード８の内部スペース内に開口した状態となる。フィルター１０の取り付け位置はフード８には限定されない。また、フィルターの形状も、図示のものには限定されない。フィルターは、もっと小型化した上で、例えば、ファン１４の吸い込み口２８、又は、その近傍に装着されてもよい。後述するように、ファン１４が連結部２４の内部に装着される場合には、フィルターはダクト１２の上端開口部に取り付けられてもよい。
【００３０】
ダクト１２の上端にファン１４が装着された本実施形態では、ファン１４の吸い込み口２８及びその近傍が吸気部４を構成する。ファン１４の装着位置は、ダクト１２の上端には限定されない。ファン１４は、連結部２４の内部に装着されてもよい。この場合、ダクト１２の上端の開口部が、フード８とフィルター１０とに囲まれた空間に位置する。このダクト１２の上端開口部及びその近傍が、吸気部４を構成することになる。
【００３１】
図示していないが、フード８の下端であって、フィルター１０の外の部位に、照明器具が備えられてもよい。この照明器具としては、白熱灯、蛍光灯、ＬＥＤ等が採用されうる。照明器具は、調理器載置スペース２０を照明することができる。
【００３２】
ファン用モータ３６への電力供給のオンオフ操作、風力切替操作、照明器具への電力供給のオンオフ操作等のためのスイッチ４６、及び、このスイッチ４６と外部電源とを接続する電気コード４８は、連結部２４に設けられている。このモータ３６及び照明器具とスイッチ４６とを電気的に連結するための図示しない電気コードは、ダクト１２に取り付けられている。スイッチ及び外部電源接続用の電気コードは、連結部２４に代えて、モータ３６及び照明器具それぞれに設けられてもよい。
【００３３】
以上説明された換気扇２は、その噴気部６からのエアカーテンにより、調理器で発生した熱気や蒸発油分等が外方に放散してしまうことが大幅に抑制される。
【産業上の利用可能性】
【００３４】
本発明に係る換気扇は、一般家庭において広く使用されうる。
【符号の説明】
【００３５】
２・・・換気扇
４・・・吸気部
６・・・噴気部
８・・・フード
１０・・・フィルター
１２・・・ダクト
１４・・・ファン
１６・・・直管
１８・・・エルボー管
２０・・・調理器載置スペース
２２・・・スリット（噴気孔）
２４、３８・・・連結部
２６・・・連結孔
２８・・・吸い込み口
３０・・・吐出口
３２・・・羽根
３４・・・カバー
３６・・・モータ
４０・・・脚部
４２・・・突起
４４・・・凹所
４６・・・スイッチ
４８・・・電気コード
ＡＣ・・・エアカーテン
Ｔ・・・卓上
【図１】
2017036888.tif 000003
【図２】
2017036888.tif 000004
【図３】
2017036888.tif 000005